【手続補正書】
【提出日】平成20年11月14日(2008.11.14)
【手続補正１】
【補正対象書類名】特許請求の範囲
【補正対象項目名】全文
【補正方法】変更
【補正の内容】
【特許請求の範囲】
【請求項１】
医療データを収集する方法において、
（ａ）クライアント先にいる医療被写体の病変の画像を、前記クライアント先において捕捉するステップ、
（ｂ）前記病変の少なくとも１つの特徴を前記補足した画像から得るステップ、及び
（ｃ）前記ステップ（ｂ）において得られた１つ以上の特徴及び前記病変が悪性又は良性であるグランドトゥルースを、前記クライアント先によって前記クライアント先に対し外部に設置されるサーバに送信するステップ
を有する方法。
【請求項２】
請求項１に記載の方法に従って１つ以上の関連する特徴に対するグランドトゥルースの何れかの他の対と任意に組み合わせて、送信時に送られたメッセージのペイロードを形成するように、前記１つ以上の特徴に対する前記グランドトゥルースを対にするステップをさらに有する請求項１に記載の方法。
【請求項３】
前記サーバは、請求項１に記載の捕捉及び送信を各々別々に行う複数のクライアント先に対し共通である請求項２に記載の方法。
【請求項４】
請求項３に記載の方法において、
−前記複数のクライアント先の１つのクライアント先から、送信された前記ペイロードを前記サーバにより受信されるステップ、
−前記サーバ上において、受信した前記ペイロードに基づいてトレーニングを行うステップ、
−診断決定支援情報を、前記サーバにより前記複数のクライアント先の宛先クライアント先に送るステップ、
−前記送られた診断決定支援情報を、前記宛先クライアント先により受信するステップ、及び
−前記受信した診断決定支援情報を、前記宛先クライアント先において表すステップ
を有する方法。
【請求項５】
請求項１に記載の方法において、前記得るステップは前記クライアント先において行われ、前記クライアント先において、前記グランドトゥルースを得るステップをさらに有する方法。
【請求項６】
請求項１に記載の方法において、
−前記腫瘍が悪性又は良性であるかの診断を行うステップ、及び
−病理学により、前記診断が有効又は無効であるかの確認を行い、これにより前記グランドトゥルースを作成するステップ
を有する方法。
【請求項７】
前記医療被写体を特定する何らかの情報を前記送信から除外するステップをさらに含む請求項１に記載の方法。
【請求項８】
クライアント先に設置されると共に、
−医療被写体の病変が悪性又は良性であるかのグランドトゥルースを受信し、
−前記受信したグランドトゥルースを前記病変の画像から計算された前記病変に特有の少なくとも１つの特徴と対にして、及び
−前記対を前記クライアント先に対し外部に設置されるサーバに送信する
ように構成されるデータ収集装置。
【請求項９】
前記グランドトゥルースを入力するためのユーザインタフェース、及び同じ又は異なるユーザインタフェースをさらに有する装置において、
前記同じ又は異なるユーザインタフェースを介して、前記サーバから診断決定支援情報を受信するように構成される請求項８に記載の装置。
【請求項１０】
前記対は、請求項８に記載の方法に従って１つ以上の関連する特徴に対するグランドトゥルースの何れかの他の対と任意に組み合わせて、送信時に送られたメッセージのペイロードを形成する請求項８に記載の装置。
【請求項１１】
前記画像における前記病変の位置及び前記病変に対する前記個々のグランドトゥルースを保存するためのデータベースをさらに有する請求項８に記載の装置。
【請求項１２】
請求項１１に記載の装置において、
−メモリ、及び
−前記メモリにおいて、任意には許可を受けた状態で、前記少なくとも１つの特徴を計算し、前記個々のグランドトゥルースを取り出すために前記データベースにアクセスするソフトウェアエージェント
をさらに有する装置。
【請求項１３】
前記ソフトウェアエージェントは、
−前記画像にある前記病変をセグメント化するセグメンテーションアルゴリズム、及び
−前記少なくとも１つの特徴を、前記画像にある前記セグメント化された病変から抽出することにより、前記少なくとも１つの特徴を計算する特徴抽出アルゴリズム
を含んでいる請求項１２に記載の装置。
【請求項１４】
前記医療被写体を特定する何らかの情報を前記送信から除外するように構成される請求項８に記載の装置。
【請求項１５】
循環性、中間グレイ値、傾斜度(angularity)、マージン、形状、密度、癌放射の少なくとも１つの測定を有する前記少なくとも１つの特徴を計算するようにさらに構成される請求項８に記載の装置。
【請求項１６】
前記クライアント先に設置されると共に、
−請求項８に記載の装置、及び
−前記クライアント先において、前記医療被写体から前記画像を捕捉するように構成される撮像装置
を有する器具。
【請求項１７】
医療データを収集するシステムにおいて、
−請求項８に記載のサーバ、及び
−前記サーバの各クライアントである夫々のクライアント先に設置される請求項８に記載の複数の装置
を有するシステム。
【請求項１８】
前記複数の装置の少なくとも１つは、
−前記対が送信されるべき前記グランドトゥルース及び送信されるべき前記少なくとも１つの特徴をメッセージのペイロードに形成し、及び
−前記送信が前記メッセージのペイロードを送る
ように行われる請求項１７に記載のシステム。
【請求項１９】
−前記複数のクライアント先の何れかから、病変が悪性又は良性であるグランドトゥルース（ａ）、及び前記病変の画像から得られた前記病変の少なくとも１つの特徴（ｂ）を有する夫々の対を受信する受信器、及び
−前記受信した対に基づいて、互いに及びサーバから外部に設置されている前記クライアント先をますますトレーニングを行う診断支援プロセッサ
を有するサーバ。
【請求項２０】
診断決定支援情報を前記複数のクライアント先の宛先クライアント先に送るための送信器をさらに有する請求項１９に記載のサーバ。
【請求項２１】
前記夫々の対は、任意には、請求項１９に従って１つ以上の関連する特徴に対するグランドトゥルースの他の何れかの対と組み合わせて、前記夫々の対がメッセージのペイロードを受信するように、前記複数のクライアント先の１つから送信されたメッセージのペイロードを形成する請求項１９に記載のサーバ。
【請求項２２】
クライアント先に設置されると共に、プロセッサにより読み取り可能である媒体内に組み込まれている、医療データを収集するためのコンピュータソフトウェアにおいて、
−前記クライアント先にあるデータベースを監視するステップ、
−前記監視するステップに応答して、前記データベースから、医療被写体の病変の画像及び前記病変が悪性又は良性であるグランドトゥルースにアクセスするステップ、及び
−前記クライアント先に対し外部に設置されるサーバに送信するために、前記アクセスした画像から得られる前記病変の少なくとも１つの特徴及び前記アクセスしたグランドトゥルースを出力するステップ
を行うように実行可能な命令を有するコンピュータソフトウェア。
【請求項２３】
（ａ）送信されるべき前記グランドトゥルース、及び（ｂ）送信されるべき前記少なくとも１つの特徴を対にするステップを行うように実施可能な命令を有する請求項２２に記載のコンピュータソフトウェアにおいて、前記対は、任意には請求項２２に従って１つ以上の関連する特徴に対するグランドトゥルースの他の何れかの対と組み合わせて、前記送信において送信されるべきメッセージのペイロードを形成するコンピュータソフトウェア。